【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
メディア項目のライブラリから選択された１つまたは複数のメディア項目の順序付きリストを生成する、コンピュータ化されたシステムであって、
コンピュータ実行可能命令を記録したコンピュータ読み取り可能記録媒体および前記コンピュータ実行可能命令を実行するコンピュータを有し、
前記コンピュータ実行可能命令は、
複数のメディア項目のライブラリであって、該複数のメディア項目は、前記コンピュータに保存された、１つまたは複数のローカルメディアファイルおよび前記コンピュータからは遠隔のデバイスに保存された、１つまたは複数のリモートメディアファイルを有し、前記複数のメディア項目は前記コンピュータにより前記デバイスへの接続を介してアクセス可能である、ライブラリと、
前記ライブラリからメディア項目のサブグループを第１のフィルタパラメータに従って生成するユーザ関連の選択フィルタであって、前記第１のフィルタパラメータは複数のファイルタパラメータの少なくとも１つのユーザ選択および複数のフィルターを決定するユーザ挙動に応じて決定される、選択フィルタと、
生成された前記複数のメディア項目のサブグループの少なくとも一部分を前記選択フィルタから順序付きリスト内に配列するユーザ関連の配列フィルタであって、前記ユーザ関連の配列フィルタはサブグループの各メディア項目に第２のフィルタパラメータに従って得点を与え、前記第２のフィルタパラメータは複数のフィルタパラメータのユーザ選択の少なくとも１つおよびフィルタパラメータを決定するユーザ挙動に応じて決定され、前記第２のフィルタは前記第１のフィルタパラメータとは異なると共に独立しており、前記サブグループの各メディア項目の得点に基づいて前記サブグループの複数のメディア項目は前記選択フィルタから順序付きリス内に配列され、前記配列する処理は前記サブグループのメディア項目のいずれかを削除する処理を含まない、選択フィルタと
を含むことを特徴とするシステム。
【請求項２】
前記ユーザ挙動は、前記メディア項目を選択するステップ、前記メディア項目にアクセスするステップ、前記メディア項目を再生するステップのうちの少なくとも１つに関連するユーザアクションを含むことを特徴とする請求項１に記載のシステム。
【請求項３】
前記システムは前記メディア項目のライブラリを含むデータソースをさらに含むことを特徴とする請求項１に記載のシステム。
【請求項４】
前記順序付きリストは「次にスタート」プレイリストであることを特徴とする請求項１に記載のシステム。
【請求項５】
前記ユーザ関連の選択フィルタ、および前記ユーザ関連の配列フィルタのそれぞれは、２つ以上のフィルタを含み、前記２つ以上のフィルタのそれぞれがその相対荷重に従って前記メディア項目の前記フィルタリングに影響を与えるように、前記２つ以上のフィルタのそれぞれに重みが割り当てられることを特徴とする請求項１に記載のシステム。
【請求項６】
前記ユーザ関連の選択フィルタの前記２つ以上のフィルタは、前記重み付けされたフィルタに従って前記ライブラリの各メディア項目に得点を与え、それによって、前記ライブラリ内の各メディア項目の前記得点に基づいて前記サブグループが生成されることを特徴とする請求項５に記載のシステム。
【請求項７】
前記ライブラリの前記メディア項目のそれぞれに、その重み付けされた得点に基づいてパーセンタイル順位が割り当てられることを特徴とする請求項６に記載のシステム。
【請求項８】
最高得点のメディア項目は１００のパーセンタイル得点が与えられ、最低得点のメディア項目は０の得点が与えられ、残りのメディア項目のそれぞれは、その重み付けされた得点に基づいて前記最高得点のメディア項目と前記最低得点のメディア項目との間に均等に分散されたパーセンタイル得点が与えられることを特徴とする請求項７に記載のシステム。
【請求項９】
前記ユーザ関連の配列フィルタの前記２つ以上のフィルタは、前記重み付けされたフィルタに従って前記サブグループの各メディア項目に得点を与え、それによって、前記サブグループ内の各メディア項目の前記得点に基づいて、前記サブグループの前記メディア項目が順序付きリスト内に配列されることを特徴とする請求項６に記載のシステム。
【請求項１０】
前記ユーザ関連の選択フィルタは、
ヌルフィルタと、
内容フィルタと、
回数フィルタと
のうちの少なくとも１つを含むことを特徴とする請求項１に記載のシステム。
【請求項１１】
前記ユーザ関連の配列フィルタは、
ヌルフィルタと、
メディア項目一致フィルタと、
リスニング体験フィルタと
のうちの少なくとも１つを含むことを特徴とする請求項１に記載のシステム。
【請求項１２】
前記順序付きサブグループ内の前記複数のメディア項目のうちの少なくとも１つがユーザによってアクセスされている間に、前記フィルタは、前記サブグループを連続的に再生成し、前記サブグループの少なくとも一部分を連続的に再配列するように構成されていることを特徴とする請求項１に記載のシステム。
【請求項１３】
複数のメディア項目のライブラリから選択された１つまたは複数のメディア項目の順序付きリストを生成する方法であって、
ユーザ関連の選択フィルタに従って前記ライブラリから複数のメディア項目のサブグループを第１のフィルタパラメータに従って選択するステップであって、前記第１のフィルタパラメータは複数のフィルタパラメータのユーザ選択の少なくとも１つおよび複数のフィルタパラメータを決定するユーザ挙動に応じて決定される、選択するステップと、
ユーザ関連の配列フィルタに従って、前記複数のメディア項目のサブグループの少なくとも一部分を順序付きリスト内に配列するステップであって、前記ユーザ関連の配列フィルタは、第２のフィルタパラメータに従って複数のメディア項目のサブグループの一部分に得点を与え、前記第２のフィルタパラメータは複数のフィルタパラメータのユーザ選択および複数のフィルタパラメータを決定するユーザ挙動に応じて決定され、前記第２のフィルタパラメータは前記第１のフィルタパラメータとは異なると共に独立であって、前記サブグループの一部分の複数のメディア項目は、前記サブグループの一部分の中の各メディア項目の得点に基づいて順序付きリスト内に配列され、前記配列する処理は前記サブグループのメディア項目のいずれかを削除する処理を含まない、配列するステップと
を含むことを特徴とする方法。
【請求項１４】
フィルタパラメータのユーザ選択、およびフィルタパラメータを決定するユーザ挙動のうちの少なくとも１つに応答して、前記選択ステップおよび配列ステップのうちの少なくとも１つを繰り返すステップをさらに含むことを特徴とする請求項１３に記載の方法。
【請求項１５】
前記ユーザ関連の選択フィルタおよび前記ユーザ関連の配列フィルタのそれぞれは２つ以上のフィルタを含み、前記選択するステップおよび配列するステップのそれぞれは、
前記メディア項目のそれぞれを前記２つ以上のフィルタでフィルタリングするステップと、
前記２つ以上のフィルタのそれぞれに重みを割り当てるステップと、
前記重み付けされたフィルタに従って前記ライブラリの各メディア項目に得点を与え、それによって、前記ライブラリ内の各メディア項目の前記得点に基づいて、前記サブグループが生成されるステップと
を含むことを特徴とする請求項１３に記載の方法。
【請求項１６】
ユーザインターフェース上に前記順序付きリストの少なくとも一部分を表示するステップをさらに含むことを特徴とする請求項１４に記載の方法。
【請求項１７】
複数のメディア項目のライブラリから選択された１つまたは複数のメディア項目の順序付きリストを生成するコンピュータ実行可能命令を有するコンピュータ可読記録媒体であって、
ユーザ関連の選択フィルタにより第１のフィルタパラメータに従って前記ライブラリからメディア項目のサブグループを選択するステップであって、前記第１のフィルタパラメータは複数のフィルタパラメータのユーザ選択の少なくとも１つおよび複数のフィルタパラメータを決定するユーザ挙動に応じて決定される、選択するステップと、
ユーザ関連の配列フィルタにより、前記メディア項目のサブグループの少なくとも一部分を順序付きリスト内に配列するステップであって、前記ユーザ関連の配列フィルタは、第２のフィルタパラメータに従って複数のメディア項目のサブグループの一部分に得点を与え、前記第２のフィルタパラメータは複数のフィルタパラメータのユーザ選択および複数のフィルタパラメータを決定するユーザ挙動に応じて決定され、前記第２のフィルタパラメータは前記第１のフィルタパラメータとは異なると共に独立であって、前記サブグループの一部分の複数のメディア項目は、前記サブグループの一部分の中の各メディア項目の得点に基づいて順序付きリスト内に配列され、前記配列する処理は前記サブグループのメディア項目のいずれかを削除する処理を含まない、配列するステップと
を含むステップを実行するコンピュータ実行可能命令を有することを特徴とするコンピュータ可読記録媒体。
【請求項１８】
ステップを実行する前記コンピュータ実行可能命令は、
フィルタパラメータのユーザ選択、およびフィルタパラメータを決定するユーザ挙動のうちの少なくとも１つに応答して、前記選択ステップおよび配列ステップのうちの少なくとも１つを繰り返すステップ
をさらに含むことを特徴とする請求項１７に記載のコンピュータ可読記録媒体。